(57)【特許請求の範囲】
【請求項１】
食品が収納されている位置を検出するための食品有無検出スイッチを底部に備えた食品収納棚と、前記食品収納棚に収納されている食品の食品名等を入力する食品情報入力手段と、前記食品名や前記食品収納棚における食品が収納されている位置を示す食品収納位置情報等を格納する食品情報格納メモリと、前記食品名や前記食品収納位置情報等を表示する食品情報表示手段と、前記食品有無検出スイッチからの出力信号を一定周期にて監視し、前記食品有無検出スイッチからの出力信号に変化があった時、前記食品収納位置情報を最新情報に更新し、前記食品情報格納メモリに格納した後、前記食品情報表示手段により前記食品名や前記食品収納位置情報の最新情報を表示するよう指示する食品収納位置情報管理手段と、前記食品情報入力手段、前記食品情報格納メモリ、前記食品情報表示手段、前記食品収納位置情報管理手段を制御する主制御手段とを備えたことを特徴とする在庫管理機能付き冷蔵庫。
【請求項２】
食品が収納されている位置を検出するためのタッチパネルを底部に備えた食品収納棚と、前記タッチパネルからの出力信号を一定周期にて監視し、前記タッチパネルからの出力信号に変化があった時、前記タッチパネルからの出力信号に基づき前記食品収納位置情報を生成する食品収納位置情報生成手段と、前記食品収納位置情報生成手段が前記食品収納位置情報を生成することを一定周期にて監視し、前記食品収納位置情報生成手段が前記食品収納位置情報を生成したことを検出時、前記食品収納位置情報を最新情報に更新し、前記食品情報格納メモリに格納した後、前記食品情報表示手段により前記食品名や前記食品収納位置情報の最新情報を表示するよう指示する食品収納位置情報入力対応食品収納位置情報管理手段を備えたことを特徴とする在庫管理機能付き冷蔵庫。
【発明の詳細な説明】
【０００１】
【発明の属する技術分野】
本発明は、冷蔵庫庫内の在庫管理を行う在庫管理機能付き冷蔵庫に関するものである。
【０００２】
【従来の技術】
必要な食品の買い忘れや不要な食品の買いすぎ等の無駄を省くために冷蔵庫ドア前面に食品在庫リスト等掲示することにより、冷蔵庫庫内の在庫管理を行う方法が一般的であるが、食品の残量や格納位置まで正確に管理することは非常に手間がかかる。
【０００３】
そこで、冷蔵庫庫内の在庫管理をより正確に行う方法が多数提案されているが、その一例として、特開平６ー６８１１４号公報で示された方法が公開されている。
【０００４】
特開平６ー６８１１４号公報に示されたものは、冷蔵庫庫内に入出庫される食品の食品名と個数と重量といった食品情報を管理することで、冷蔵庫庫内の在庫管理をより正確に行うというものである。
【０００５】
すなわち、冷蔵庫本体は、食品の食品名と個数を入力するデータ入力手段と、冷蔵庫庫内の各棚上の食品の総重量を測定する個別重量測定手段と、食品の食品名、個数、重量等の食品情報を表示する表示手段と、食品の食品名、個数、重量等の食品情報を格納する食品情報格納テーブルと、各部の管理を行う主制御手段から構成されている。
【０００６】
そして、冷蔵庫庫内の在庫管理を行う時、食品の重量を測定することにより、食品の食品名、個数に加えて重量をも管理することが可能となり、冷蔵庫庫内の在庫管理の精度向上を図っている。
【０００７】
【発明が解決しようとする課題】
しかしながら、従来の方法では、冷蔵庫に食品を収納または取り出す度に、必ず食品の食品名と個数を入力しなければならず、収納位置が決まっている食品を収納または取り出す時にもその度に食品名と個数を入力しなければならないため、冷蔵庫庫内の在庫管理の操作が煩雑になる可能性があった。
【０００８】
本発明は、上記従来の課題を解決するためのもので、収納位置が決まっている食品の在庫管理を行う際に、在庫管理を開始する前に一度だけ食品名、食品残量しきい値等の食品情報を入力した後は、自動的に食品収納位置や食品残量を管理する、また食品残量が食品残量しきい値より少ない時に警告メッセージを通知することができる在庫管理機能付き冷蔵庫を提供することを目的とする。
【０００９】
【課題を解決するための手段】
本発明の請求項１記載の発明は、食品が収納されている位置を検出するための食品有無検出スイッチを底部に備えた食品収納棚と、食品収納棚に収納されている食品の食品名等を入力する食品情報入力手段と、食品名や食品収納棚における食品が収納されている位置を示す食品収納位置情報等を格納する食品情報格納メモリと、食品名や食品収納位置情報等を表示する食品情報表示手段と、食品有無検出スイッチからの出力信号を一定周期にて監視し、食品有無検出スイッチからの出力信号に変化があった時、食品収納位置情報を最新情報に更新し、食品情報格納メモリに格納した後、食品情報表示手段により食品名や食品収納位置情報の最新情報を表示するよう指示する食品収納位置情報管理手段と、食品情報入力手段、食品情報格納メモリ、食品情報表示手段、食品収納位置情報管理手段を制御する主制御手段を備えた在庫管理機能付き冷蔵庫であり、収納位置が決まっている特定の形状をした食品の在庫管理を行う際に、在庫管理を開始する前に一度だけ食品名を入力した後は、自動的に食品収納位置を管理することができるという作用を有する。
【００１０】
本発明の請求項２記載の発明は、食品が収納されている位置を検出するためのタッチパネルを底部に備えた食品収納棚と、タッチパネルからの出力信号を一定周期にて監視し、タッチパネルからの出力信号に変化があった時、タッチパネルからの出力信号に基づき食品収納位置情報を生成する食品収納位置情報生成手段と、食品収納位置情報生成手段が食品収納位置情報を生成することを一定周期にて監視し、食品収納位置情報生成手段が食品収納位置情報を生成したことを検出時、食品収納位置情報を最新情報に更新し、食品情報格納メモリに格納した後、食品情報表示手段により食品名や食品収納位置情報の最新情報を表示するよう指示する食品収納位置情報入力対応食品収納位置情報管理手段を備えた在庫管理機能付き冷蔵庫であり、収納位置が決まっている任意の形状をした食品の在庫管理を行う際に、在庫管理を開始する前に一度だけ食品名を入力した後は、自動的に食品収納位置を管理することができるという作用を有する。
【００１１】
【発明の実施の形態】
以下、本発明の実施例について、図１から図９を用いて説明する。
【００１２】
（実施の形態１）
図１は本実施例の在庫管理機能付き冷蔵庫の構成図である。
【００１３】
図１において、本実施例の冷蔵庫本体１は、食品が収納されている位置を検出するための食品有無検出スイッチ１８〜２７を底部に備えた食品収納棚７、食品収納棚７に収納されている食品の食品名等を入力する食品情報入力手段２、食品名や食品収納棚７における食品が収納されている位置を示す食品収納位置情報等を格納する食品情報格納メモリ５、食品名や食品収納位置情報等を表示する食品情報表示手段３、食品有無検出スイッチ１８〜２７からの出力信号を一定周期にて監視し、食品有無検出スイッチ１８〜２７からの出力信号に変化があった時、食品収納位置情報を最新情報に更新し、食品情報格納メモリ５に格納した後、食品情報表示手段３により食品名や食品収納位置情報の最新情報を表示するよう指示する食品収納位置情報管理手段４、食品情報入力手段２、食品情報格納メモリ５、食品情報表示手段３、食品収納位置情報管理手段４を制御する主制御手段６で構成されている。
【００１４】
図３は、本実施例の在庫管理機能付き冷蔵庫において、収納位置が決まっている特定の形状をした食品の在庫管理を行う時の食品情報格納メモリの構成図である。
【００１５】
以上の構成の在庫管理機能付き冷蔵庫の動作例について図面を基に説明する。
【００１６】
図２は、本実施例の在庫管理機能付き冷蔵庫において、収納位置が決まっている特定の形状をした食品の在庫管理を行う時の動作を示す流れ図である。
【００１７】
収納位置が決まっており、食品収納棚７に収納した時に必ず食品有無検出スイッチがＯＮとなり、食品収納棚７から取り出した時に必ず食品有無検出スイッチがＯＦＦとなるような特定の形状をした食品（本実施例では「たまご」とする）の在庫管理を行う際に、在庫管理を開始する前に一度だけ食品名である「たまご」を食品情報入力手段２にて入力すると、図３に示す食品情報格納メモリの食品名格納エリアには食品名：「たまご」が設定され、食品収納位置情報格納エリアには食品有無検出スイッチ１８〜２７に対応する食品収納位置情報の食品収納位置Ｎｏ．１〜Ｎｏ．１０全てに「無し」が設定され、初期化が終了する（ステップ１ー１）。
【００１８】
食品収納位置情報管理手段４にて、食品有無検出スイッチ１８〜２７の出力信号（ＯＮ／ＯＦＦ信号）を一定周期にて監視する（ステップ１ー２）。
【００１９】
食品収納位置情報管理手段４にて、食品有無検出スイッチ１８〜２７の出力信号（ＯＮ／ＯＦＦ信号）の変化を検知時（本実施例では食品収納棚７に食品（たまご）８〜１７を収納し、食品有無検出スイッチ１８〜２７の出力信号は全てＯＦＦからＯＮに変化したものとする）に、食品有無検出スイッチ１８〜２７に対応する食品収納位置情報の食品収納位置Ｎｏ．１〜Ｎｏ．１０全てを「無し」から「有り」に更新する（ステップ１ー３）。
【００２０】
食品収納位置情報管理手段４にて、更新した食品収納位置情報の食品収納位置Ｎｏ．１〜Ｎｏ．１０全て「有り」を食品情報格納メモリ５へ格納した後、食品情報表示手段３に対して食品名：「たまご」および食品収納位置情報の食品収納位置Ｎｏ．１〜Ｎｏ．１０全て「有り」を表示するよう指示し、食品情報表示手段３はそれら情報を表示する（ステップ１ー４）。
【００２１】
それ以降は、（ステップ１ー２）、（ステップ１ー３）、（ステップ１ー４）を繰り返す。
【００２２】
このことにより、収納位置が決まっている特定の形状をした食品の在庫管理を行う際に、在庫管理を開始する前に一度だけ食品名を入力した後は、自動的に食品収納位置を管理することができる。
【００２３】
（実施の形態２）
図４は本実施例の在庫管理機能付き冷蔵庫の構成図である。実施の形態１と同様のものについては同符号を付け、説明を割愛する。
【００２４】
図４において、本実施例の冷蔵庫本体１は、食品が収納されている位置を検出するためのタッチパネル３８を底部に備えた食品収納棚７、タッチパネル３８からの出力信号を一定周期にて監視し、タッチパネル３８からの出力信号に変化があった時、タッチパネル３８からの出力信号に基づき食品収納位置情報を生成する食品収納位置情報生成手段３９、食品収納位置情報生成手段３９が食品収納位置情報を生成することを一定周期にて監視し、食品収納位置情報生成手段３９が食品収納位置情報を生成したことを検出時、食品収納位置情報を最新情報に更新し、食品情報格納メモリ５に格納した後、食品情報表示手段３により食品名や食品収納位置情報の最新情報を表示するよう指示する食品収納位置情報入力対応食品収納位置情報管理手段４０で構成されている。
【００２５】
図６は、本実施例の在庫管理機能付き冷蔵庫において、収納位置が決まっている任意の形状をした食品の在庫管理を行う時の食品情報格納メモリの構成図である。
【００２６】
以上の構成の在庫管理機能付き冷蔵庫の動作例について図面を基に説明する。
【００２７】
図５は、本実施例の在庫管理機能付き冷蔵庫において、収納位置が決まっている任意の形状をした食品の在庫管理を行う時の動作を示す流れ図である。
【００２８】
収納位置が決まっており、食品収納棚７に収納した時の食品の置き方により食品有無検出スイッチがＯＮとなったりあるいはＯＦＦとなるような任意の形状をした食品（本実施例では「スティック型チーズ」とする）の在庫管理を行う際に、在庫管理を開始する前に一度だけ食品名である「スティック型チーズ」を食品情報入力手段２にて入力すると、図６に示す食品情報格納メモリの食品名格納エリアには食品名：「スティック型チーズ」が設定され、食品収納位置情報格納エリアには食品収納棚７における１０個の収納位置に合わせて１０分割されたタッチパネルの各範囲に対応する食品収納位置情報の食品収納位置Ｎｏ．１〜Ｎｏ．１０全てに「無し」が設定され、初期化が終了する（ステップ２ー１）。
【００２９】
食品収納位置情報生成手段３９にて、タッチパネル３８からの出力信号（Ｘ座標：０〜５０、Ｙ座標：０〜２０とし、各（Ｘ、Ｙ）ポイントにて接触有り時ＯＮ信号、接触無し時ＯＦＦ信号）を一定周期にて監視する（ステップ２−２）。
【００３０】
食品収納位置情報生成手段３９にて、タッチパネル３８からの出力信号の変化を検知時（本実施例では食品収納棚７に食品（スティック型チーズ）２８〜３７を収納し、食品収納棚７における１０個の収納位置に合わせて１０分割されたタッチパネルの各範囲全てにおいて、全てのポイントＯＦＦから一部のポイントＯＮに変化したものとする）に、タッチパネル３８からの出力信号に基づき、食品収納棚７における１０個の収納位置に合わせて１０分割されたタッチパネルの各範囲に対応する食品収納位置Ｎｏ．１〜Ｎｏ．１０全てに「有り」を設定した食品収納位置情報を生成する（ステップ２−３）。
【００３１】
食品収納位置情報入力対応食品収納位置情報管理手段４０にて、食品収納位置情報生成手段３９が食品収納位置情報を生成することを一定周期にて監視し、食品収納位置情報生成手段３９が食品収納位置情報を生成したことを検出時、（ステップ２ー４）、（ステップ２ー５）を行う。
【００３２】
（ステップ２ー４）、（ステップ２ー５）は、実施の形態１の（ステップ１ー３）、（ステップ１ー４）と同様のため、説明を割愛する。
【００３３】
それ以降は、（ステップ２ー２）、（ステップ２ー３）（ステップ２ー４）、（ステップ２ー５）を繰り返す。
【００３４】
このことにより、収納位置が決まっている任意の形状をした食品の在庫管理を行う際に、在庫管理を開始する前に一度だけ食品名を入力した後は、自動的に食品収納位置を管理することができる。
【００３５】
（参考例１）
図７は本実施例の在庫管理機能付き冷蔵庫の構成図である。実施の形態１と同様のものについては同符号を付け、説明を割愛する。
【００３６】
図７において、本実施例の冷蔵庫本体１は、食品の入った食品収納容器４１〜５０が収納されている位置および食品収納容器４１〜５０内の食品残量を検出するための重量センサー５１〜６０を底部に備えた食品収納棚７、食品収納棚７に収納されている食品収納容器４１〜５０内の食品の食品名や食品収納容器４１〜５０内の食品残量が少ない旨の警告メッセージを利用者に通知するか否かを判断するための食品残量しきい値等を入力する食品情報入力手段２、食品名や食品収納棚７における食品収納容器４１〜５０が収納されている位置、食品収納容器４１〜５０内の食品残量および食品残量しきい値を示す食品収納位置・残量情報等を格納する食品情報格納メモリ５、食品名や食品収納位置・残量情報および警告メッセージ等を表示する食品情報表示手段３、重量センサー５１〜６０からの出力信号を一定周期にて監視し、重量センサー５１〜６０からの出力信号に変化があった時、食品収納位置・残量情報を最新情報に更新し、食品情報格納メモリ５に格納した後、食品情報表示手段３により食品名や食品収納位置・残量情報の最新情報を表示するよう指示し、また、食品収納容器４１〜５０内の食品残量が食品残量しきい値より少ない時、警告メッセージを表示するよう指示する食品収納位置・残量情報管理手段６１で構成されている。
【００３７】
図９は、本実施例の在庫管理機能付き冷蔵庫において、収納位置が決まっている特定の形状をした食品収納容器内の食品の在庫管理を行う時の食品情報格納メモリの構成図である。
【００３８】
以上の構成の在庫管理機能付き冷蔵庫の動作例について図面を基に説明する。
【００３９】
図８は、本実施例の在庫管理機能付き冷蔵庫において、収納位置が決まっている特定の形状をした食品収納容器内の食品の在庫管理を行う時の動作を示す流れ図である。
【００４０】
収納位置が決まっており、食品収納棚７に収納した時に重量センサー５１〜６０にて正確に重量を測定可能となるような特定の形状をした食品収納容器内の食品の在庫管理を行う際に、在庫管理を開始する前に一度だけ重量センサー５１〜６０に対応する位置に収納する食品収納容器Ｎｏ．１〜Ｎｏ．１０に入れる食品名の「マヨネーズ」〜「辛子」を順番に食品情報入力手段２にて入力すると、図９に示す食品情報格納メモリの食品名・収納位置・残量情報格納エリアＮｏ．１〜Ｎｏ．１０には各々の食品名：「マヨネーズ」〜「辛子」が設定され、また、食品収納容器Ｎｏ．１〜Ｎｏ．１０内の食品残量が少ない旨の警告メッセージを利用者に通知するか否かを判断するための食品残量しきい値「２０ｇ」（本実施例では全て同値、食品収納容器Ｎｏ．１〜Ｎｏ．１０毎に異なる値を設定可能）を順番に食品情報入力手段２にて入力すると、図９に示す食品情報格納メモリの食品名・収納位置・残量情報格納エリアＮｏ．１〜Ｎｏ．１０には各々の残量しきい値：「２０ｇ」が設定され、その後、重量センサー５１〜６０に対応する位置に収納する食品収納容器Ｎｏ．１〜Ｎｏ．１０の現在の重量を計測し、図９に示す食品情報格納メモリの食品名・収納位置・残量情報格納エリアＮｏ．１〜Ｎｏ．１０には各々の残量：「５０ｇ」〜「３０ｇ」が設定され、初期化が終了する（ステップ３ー１）。
【００４１】
食品収納位置・残量情報管理手段６１にて、重量センサー５１〜６０の出力信号（０ｇ〜１ｋｇ、最小計測単位１ｇ）を一定周期にて監視する（ステップ３ー２）。
【００４２】
食品収納位置・残量情報管理手段６１にて、重量センサー５１〜６０の出力信号（０ｇ〜１ｋｇ、最小計測単位１ｇ）の変化を検知時（本実施例では食品収納棚７から重量センサー５１に対応する食品収納容器Ｎｏ．１の「マヨネーズ」を取り出して使用した後に元の位置に収納して、残量が初期化時の「５０ｇ」から「１０ｇ」に変化したものとする）に、重量センサー５１に対応する食品収納容器Ｎｏ．１の残量を「５０ｇ」から「１０ｇ」に更新する（ステップ３ー３）。
【００４３】
更新した重量センサー５１に対応する食品収納容器Ｎｏ．１の残量「１０ｇ」を食品情報格納メモリ５へ格納した後、食品情報表示手段３に対して重量センサー５１〜６０に対応する位置に収納する食品収納容器Ｎｏ．１〜Ｎｏ．１０の食品名：「マヨネーズ」〜「辛子」および各々の残量「１０ｇ」〜「３０ｇ」を表示するよう指示し、食品情報表示手段３はそれら情報を表示する（ステップ３ー４）。
【００４４】
食品収納位置・残量情報管理手段６１にて、重量センサー５１〜６０に対応する位置に収納する食品収納容器Ｎｏ．１〜Ｎｏ．１０の各々の残量「１０ｇ」〜「３０ｇ」と（ステップ３ー１）にて設定した食品収納容器Ｎｏ．１〜Ｎｏ．１０内の食品残量が少ない旨の警告メッセージを利用者に通知するか否かを判断するための食品残量しきい値「２０ｇ」を比較する（ステップ３ー５）。
【００４５】
食品収納位置・残量情報管理手段６１にて、重量センサー５１に対応する位置に収納する食品収納容器Ｎｏ．１の残量「１０ｇ」が食品残量しきい値「２０ｇ」より少ないと判断した時に、食品情報表示手段３に対して食品収納容器Ｎｏ．１の食品残量が少ない旨の警告メッセージを表示するよう指示し、食品情報表示手段３はその警告メッセージを表示する（ステップ３ー６）。
【００４６】
それ以降は、（ステップ３ー２）、（ステップ３ー３）（ステップ３ー４）、（ステップ３ー５）、（ステップ３ー６）を繰り返す。
【００４７】
このことにより、収納位置が決まっている特定の形状をした食品収納容器内の食品の在庫管理を行う際に、在庫管理を開始する前に一度だけ食品名、食品残量しきい値を入力した後は、自動的に食品収納容器の収納位置や食品収納容器内の食品残量を管理する、また食品収納容器内の食品残量が食品残量しきい値より少ない時に警告メッセージを通知することができる。
【００４８】
【発明の効果】
以上のように本発明によれば、食品が収納されている位置を検出するための食品有無検出スイッチを底部に備えた食品収納棚と、食品収納棚に収納されている食品の食品名等を入力する食品情報入力手段と、食品名や食品収納棚における食品が収納されている位置を示す食品収納位置情報等を格納する食品情報格納メモリと、食品名や食品収納位置情報等を表示する食品情報表示手段と、食品有無検出スイッチからの出力信号を一定周期にて監視し、食品有無検出スイッチからの出力信号に変化があった時、食品収納位置情報を最新情報に更新し、食品情報格納メモリに格納した後、食品情報表示手段により食品名や食品収納位置情報の最新情報を表示するよう指示する食品収納位置情報管理手段と、食品情報入力手段、食品情報格納メモリ、食品情報表示手段、食品収納位置情報管理手段を制御する主制御手段を備えることにより、収納位置が決まっている特定の形状をした食品の在庫管理を行う際に、在庫管理を開始する前に一度だけ食品名を入力した後は、自動的に食品収納位置を管理することができる。
【００４９】
また、食品が収納されている位置を検出するためのタッチパネルを底部に備えた食品収納棚と、タッチパネルからの出力信号を一定周期にて監視し、タッチパネルからの出力信号に変化があった時、タッチパネルからの出力信号に基づき食品収納位置情報を生成する食品収納位置情報生成手段と、食品収納位置情報生成手段が食品収納位置情報を生成することを一定周期にて監視し、食品収納位置情報生成手段が食品収納位置情報を生成したことを検出時、食品収納位置情報を最新情報に更新し、食品情報格納メモリに格納した後、食品情報表示手段により食品名や食品収納位置情報の最新情報を表示するよう指示する食品収納位置情報入力対応食品収納位置情報管理手段を備えることにより、収納位置が決まっている任意の形状をした食品の在庫管理を行う際に、在庫管理を開始する前に一度だけ食品名を入力した後は、自動的に食品収納位置を管理することができる。
【図面の簡単な説明】
【図１】  本発明の実施例１による在庫管理機能付き冷蔵庫の構成図
【図２】  本発明の実施例１による在庫管理機能付き冷蔵庫の流れ図
【図３】  本発明の実施例１による在庫管理機能付き冷蔵庫の食品情報格納メモリの構成図
【図４】  本発明の実施例２による在庫管理機能付き冷蔵庫の構成図
【図５】  本発明の実施例２による在庫管理機能付き冷蔵庫の流れ図
【図６】  本発明の実施例２による在庫管理機能付き冷蔵庫の食品情報格納メモリの構成図
【図７】  本発明の参考例１による在庫管理機能付き冷蔵庫の構成図
【図８】  本発明の参考例１による在庫管理機能付き冷蔵庫の流れ図
【図９】  本発明の参考例１による在庫管理機能付き冷蔵庫の食品情報格納メモリの構成図
【符号の説明】
１  冷蔵庫本体
２  食品情報入力手段
３  食品情報表示手段
４  食品収納位置情報管理手段
５  食品情報格納メモリ
６  主制御手段
７  食品収納棚
８，９，１０，１１，１２，１３，１４，１５，１６，１７  食品（たまご）
１８，１９，２０，２１，２２，２３，２４，２５，２６，２７  食品有無検出スイッチ
２８，２９，３０，３１，３２，３３，３４，３５，３６，３７  食品（スティック型チーズ）
３８  タッチパネル
３９  食品収納位置情報生成手段
４０  食品収納位置情報入力対応食品収納位置情報管理手段
４１，４２，４３，４４，４５，４６，４７，４８，４９，５０  食品収納容器
５１，５２，５３，５４，５５，５６，５７，５８，５９，６０  重量センサー
６１  食品収納位置・残量情報管理手段
【図１】
0004513167.tif 000002
【図２】
0004513167.tif 000003
【図３】
0004513167.tif 000004
【図４】
0004513167.tif 000005
【図５】
0004513167.tif 000006
【図６】
0004513167.tif 000007
【図７】
0004513167.tif 000008
【図８】
0004513167.tif 000009
【図９】
0004513167.tif 000010